(57)【要約】      （修正有）【課題】体裁の向上を図るために網戸の閉じを保持するロックの仕組みが外観的に視覚できなく、また、網戸を閉じると同時にそれが窓枠に自然に嵌り、所定箇所に隙間なく強固且つ安定して固定される枠付き開き網戸を提供する。【解決手段】それぞれ押出形材による枠組みの窓枠１とそれに開閉可能に嵌る網戸３との組合せからなり、開閉側において、窓枠には枠に巾面壁１７が形成され、一方、網戸の框は帯状の中空であって、その前面中央に取っ手８が突設され、さらに巾面壁の裏面に磁石９が固着され、磁石の吸引力が及ぶ磁性板１０が網戸の框の中央に内蔵され、框の前面に突出する取っ手が磁性板に螺入されるネジにより固定され、同時に磁性板が框に固定されている。【選択図】図１
0003218051.tif 000002
【実用新案登録請求の範囲】
【請求項１】
それぞれ押出形材による枠組みの窓枠とそれに開閉可能に嵌る網戸との組合せからなり、開閉側において、窓枠には枠に巾面壁が形成され、一方、網戸の框は帯状の中空であって、その前面中央に取っ手が突設されており、さらに前記巾面壁の裏面に磁石が固着され、磁石の吸引力が及ぶ磁性板が網戸の框の中央に内蔵され、框の前面に突出する取っ手が磁性板に螺入されるネジにより固定され、それで同時に磁性板が框に固定されていることを特徴とする枠付き開き網戸。
【請求項２】
窓枠および網戸は、それぞれコーナーブロックにより枠組みされ、窓枠は、その縦横枠が側壁と直交する前記巾面壁が、その中央部に沿って中空の凸条と共に形成され、一方網戸は、窓枠の前記凸条の矩形配列の囲み内に納まる矩形であって、上部の左右両角部において、窓枠と網戸の隣接する内外両コーナーブロックが軸ピンで連結されることにより、窓枠に対して網戸が上下に開閉可能であることを特徴とする請求項１記載の枠付き開き網戸。
【請求項３】
横框に内蔵される前記磁石がネオジム磁石であることを特徴とする請求項１又は２記載の枠付き開き網戸。
【請求項４】
網戸の各框の裏面に巾中央部に沿って縦横枠の巾面壁に対するシール材を細長く突設し、網戸のコーナーブロックには裏面にシール材が欠けるのを補完するシール片を突設したことを特徴とする請求項１，２又は３記載の枠付き開き網戸。
【考案の詳細な説明】
【技術分野】
【０００１】
この考案は、床よりも高い位置に配置される枠付き開き網戸に関する。
【背景技術】
【０００２】
建物の外壁には小窓を開口し、それに嵌着する窓枠には蚊などの害虫の侵入を防止するため網戸が開閉可能に嵌め込まれることが多い。その場合には、窓枠の上端に網戸を開閉する蝶番等を設け、下端部には、閉じた状態をロックする閉止装置が設けられる。閉止装置は、窓枠と障子とのいずれか一方にラッチを設け、他方にラッチが自然に掛かるラッチ受けを具備したものであった。
【考案の概要】
【考案が解決しようとする課題】
【０００３】
上記のように、従来の小窓では、ラッチ等による機械的な閉止装置が見た目に悪く露出しており、しかも、閉じたときには最後まで手で雌雄を合せて詰めを確実にしないと不用意に外れやすく、弛みでがたつきが発生する不具合もあり、網戸でありながら蚊などの侵入を許す隙間ができる等の不都合もあった。
【０００４】
この考案は、上記のような実情に鑑みて、体裁の向上を図るために網戸の閉じを保持するロックの仕組みが外観的に視覚できなく、また、網戸を閉じると同時にそれが窓枠に自然に嵌り、所定箇所に隙間なく強固且つ安定して固定される枠付き開き網戸を提供することを課題とした。
【課題を解決するための手段】
【０００５】
上記の課題を解決するために、この考案は、それぞれ押出形材による枠組みの窓枠とそれに開閉可能に嵌る網戸との組合せからなり、開閉側において、窓枠には枠に巾面壁が形成され、一方、網戸の框は帯状の中空であって、その前面中央に取っ手が突設されており、さらに前記巾面壁の裏面に磁石が固着され、磁石の吸引力が及ぶ磁性板が網戸の框の中央に内蔵され、框の前面に突出する取っ手が磁性板に螺入されるネジにより固定され、それで同時に磁性板が框に固定されていることを特徴とする枠付き開き網戸を提供する。
【０００６】
枠付き開き網戸を、上記のように構成したから、閉じにおいては、巾面壁の裏側から磁石の磁力が吸引板の磁性板に及ぶので、両者間の吸引力で網戸の閉じが保持される。保持力は高いが、取っ手を引く力が直列に及ぶ結果力が効率的に働くため、引く力が集中的に及び開き操作も容易である。
【考案の効果】
【０００７】
以上説明したように、この考案の枠付き開き網戸によれば、網戸の閉じを保持する磁石や磁性板等による仕組みが外観上視覚できないので、スッキリと体裁を高めることができ、また、網戸を閉じると磁石の力でそれが凸条の囲み内に自然に納まり、所定箇所に隙間なく安定して固定されるため、外れないことはもちろんがたつくおそれもなく、また、蚊などの害虫の侵入が有効に防止され、さらに取っ手を引く力は磁石が働く要部にまともに作用するため、網戸を開く操作も至って容易であるという優れた効果がある。
【図面の簡単な説明】
【０００８】
【図１】この考案の枠付き開き網戸を半ば開き状態で示す斜視図である。
【図２】閉じにおける同網戸の正面図である。
【図３】閉じにおける同網戸の背面図である。
【図４】図２のA-A線矢視の拡大断面図である。
【図５】同部の開き状態を示す拡大断面図である。
【図６】網戸の一部拡大背面図である。
【考案を実施するための形態】
【０００９】
この考案においては、磁石１０は他のアルミ等の物体（幅面壁１７や框３５等）を通して吸引力が磁性板１０に及ぶことに着眼し課題を解決したものでるが、磁石と磁性板とを反対に入れ替えしてもこの考案の趣旨に反するものではない。
【実施例】
【００１０】
図面は一実施例を示し、その枠付き開き網戸は、建物の外壁に開けた窓穴に嵌る窓枠１と、窓枠１の内側に嵌る網戸３との組合せからなり、窓枠１の上端部に網戸３が開閉する軸ピン５、５が一対で設けられ、下端部の裏には開閉を止めるロック装置用としてネオジム磁石９が設けられる。
【００１１】
ネオジム磁石は、通常の磁石の１０倍以上の磁力があり、強風で勝手に開いてしまうことがなくなり、しかも、見えなくしても磁力で効力が得られる。なお、フェライト磁石では、磁力が不足し、閉じにおいて強風に耐えるには最後まで手を添える必要があり、不用意に開くのを阻止できなかった。
【００１２】
（ネオジム磁石の特徴）
（１）非常に強力な磁力を持つ（フェライト磁石の１０倍）
（２）保持力が高い
（３）硬度が高く衝撃に強い
【００１３】
窓枠１は、アルミ押出形材からなる縦枠１１，１１と横枠１３，１３とがコーナーブロック１５を介して枠組みされた矩形であって、縦枠１１と横枠１３は、共に前面の巾面壁１７と側面壁１９とからなるL字形断面で、巾面壁１７の巾中央に前方への凸条２１が突設され、それが断面矩形において中空に形成される。そして、窓枠１において、この凸条２１の囲みが網戸３を丁度囲むよう四角配列（２１，２１，２１，２１）である。
【００１４】
コーナーブロック１５は、縦横枠１１，１３が突き合う端面間に介在される正方形のブロック本体が主体であって、両側面に縦横枠１１，１３の凸条２１の中空内に嵌入される連結片が突設される。
【００１５】
網戸３は、帯板状の同一断面の縦框３３と横框３５とからなり、コーナーブロック４１により窓枠１の凸条２１の四角配列（２１，２１，２１，２１）による囲みに納まる大きさに枠組みされる。また、縦横框３３，３５の裏面には、巾中央に沿ってシール材３７が突設され、シール材３７は巾面壁１７との間を封じるもので、繊維の植毛により形成し列状に配置される。しかし、コーナーブロック４１では欠けるので、シール片３７ａが補完用に一体成形される。
【００１６】
図４および図５は、開閉状態を示したもので、磁石９がアルミの巾面壁１７の裏面に、磁性板１０がアルミの框３５内にあり視覚できなくとも、強い磁力で相互に作用することを示している。
【符号の説明】
【００１７】
１  窓枠
３  網戸
８  取っ手
９  磁石
１０  磁性板
１１  縦枠
１３  横枠
１７  巾面壁
１９  側面壁
２１  凸条
３３  縦框
３５  横框
３７  シール材
３７ａ  シール片
【図１】
0003218051.tif 000003
【図２】
0003218051.tif 000004
【図３】
0003218051.tif 000005
【図４】
0003218051.tif 000006
【図５】
0003218051.tif 000007
【図６】
0003218051.tif 000008
【手続補正書】
【提出日】平成30年6月28日(2018.6.28)
【手続補正１】
【補正対象書類名】明細書
【補正対象項目名】０００９
【補正方法】変更
【補正の内容】
【０００９】
この考案においては、磁石１０は他のアルミ等の物体（幅面壁１７や框３５等）を通して吸引力が磁性板１０に及ぶことに着眼し課題を解決したものであるが、磁石と磁性板とを反対に入れ替えしてもこの考案の趣旨に反するものではない。また、網戸３の開き方向は、図示では窓枠１の下端であるが、下端に限定されないのであって（請求項１）、左右両端の何れか、若しくは上端であっても良い。
【手続補正書】
【提出日】平成30年7月18日(2018.7.18)
【手続補正１】
【補正対象書類名】実用新案登録請求の範囲
【補正対象項目名】請求項３
【補正方法】変更
【補正の内容】
【請求項３】
窓枠の巾面壁の裏面に固着される前記磁石がネオジム磁石であることを特徴とする請求項１又は２記載の枠付き開き網戸。